(57)【要約】【課題】  適宜個所に換気装置を設置でき、さらに、設置後においても、送風口の位置を変更できて、効率的な換気を行うことができる換気装置を提供する。【解決手段】  換気装置１は、ケーシング２１に送風口２２と吸気口２３を形成すると共に、ケーシング２１内に送風ファンを配設した本体部２を有する。保持体３２の立設板部３３に沿って移動板３１を上下移動自在とした吊下支持部３、又は、ケーシング２１の側面部に沿って複数の支持脚４１を上下移動自在とした載置支持部４を有する。さらに、嵌合溝形成板２４と、保持体３２の保持板部３４とから構成され、嵌合溝形成板２４に周方向に所定間隔で嵌合溝２４ａを形成し、保持板部３４に突起部３４ａを形成し、嵌合溝２４ａに突起部３４ａを嵌合自在とした回転機構部５を付設する。【選択図】              図１
2005221130.tif 000002
【特許請求の範囲】
【請求項１】
ケーシングに送風口と吸気口を形成すると共に、前記ケーシング内に送風ファンを配設した本体部と、保持体の立設板部に沿って移動板を上下移動自在とした吊下支持部と、から構成されることを特徴とする換気装置。
【請求項２】
ケーシングに送風口と吸気口を形成すると共に、前記ケーシング内に送風ファンを配設した本体部と、前記ケーシングの側面部に沿って複数の支持脚を上下移動自在とした載置支持部と、から構成されることを特徴とする換気装置。
【請求項３】
さらに、前記ケーシングに固定された嵌合溝形成板と、前記保持体の保持板部とから構成され、前記嵌合溝形成板に周方向に所定間隔で嵌合溝を形成し、前記保持板部に突起部を形成し、前記嵌合溝に前記突起部を嵌合自在とした回転機構部を付設したことを特徴とする請求項１に記載の換気装置。
【発明の詳細な説明】
【技術分野】
【０００１】
本発明は、床下、天井裏等の狭い空間に設置され、滞留した湿度の高い空気を強制的に攪拌して、床下、天井裏等を効率的に換気する換気装置に関する。
【背景技術】
【０００２】
従来、床下、天井裏等に設置される換気装置としては、特許文献１、特許文献２等に記載されるものが知られており、これらの換気装置１０１は、図４に示すように、根太、大引Ａ等に吊下したり、床下の地面に載置して使用されている。
【０００３】
又、従来の換気装置１０１は、図５に示すように、通常、周辺部に複数の送風口１０２を形成してあり、それらの送風口１０２から空気を周囲に流出して、床下、天井裏等に滞留した湿度の高い空気を強制的に攪拌して換気している。
【０００４】
【特許文献１】特開２００１−３５５５９８号公報
【０００５】
【特許文献２】特開平１０−２６７３４６号公報
【発明の開示】
【発明が解決しようとする課題】
【０００６】
従来の換気装置１０１は、根太、大引Ａ等に吊下したり、床下の地面に載置して使用されるが、床下、天井裏等の空間の広狭によっては、換気装置１０１の高さ方向位置により換気効率が大きく異なる場合があった。又、床下、天井裏等の形状又は構造によっては、適宜個所に換気装置１０１を設置できない場合もあった。
【０００７】
又、従来の換気装置１０１は、一旦、根太、大引Ａ等に吊下したり、床下の地面に載置して設置してしまうと、送風口１０２の位置を変更することはできず、すなわち、空気の周囲への流出方向を変更することができず、床下、天井裏等の形状又は構造によっては、効率的な換気が行えない場合もあった。
【０００８】
本発明は、かかる問題点に鑑みて為されたものであって、床下、天井裏等の空間の広狭に拘わらず、効率的な換気を行うことができ、又、床下、天井裏等の形状又は構造に拘わらず、適宜個所に換気装置を設置でき、さらに、設置後においても、送風口の位置を変更できて、効率的な換気を行うことができる換気装置を提供することを目的とする。
【課題を解決するための手段】
【０００９】
上記目的を達成するため、本発明の換気装置は、ケーシングに送風口と吸気口を形成すると共に、前記ケーシング内に送風ファンを配設した本体部と、保持体の立設板部に沿って移動板を上下移動自在とした吊下支持部と、又は、前記ケーシングの側面部に沿って複数の支持脚を上下移動自在とした載置支持部と、から構成されることを特徴とする。
【００１０】
又、本発明の換気装置は、さらに、前記ケーシングに固定された嵌合溝形成板と、前記保持体の保持板部とから構成され、前記嵌合溝形成板に周方向に所定間隔で嵌合溝を形成し、前記保持板部に突起部を形成し、前記嵌合溝に前記突起部を嵌合自在とした回転機構部を付設したことを特徴とする。
【発明を実施するための最良の形態】
【００１１】
以下、本発明の換気装置の実施形態について、図面を参照しつつ具体的に説明する。
【００１２】
本発明の換気装置１は、図１乃至図３に示すように、本体部２と、吊下支持部３と、載置支持部４と、回転機構部５とから構成される。
【００１３】
本体部２は、ケーシング２１が略風車形状を呈し、周辺部に周方向等間隔で４つの送風口２２を形成してあり、底面には吸気口２３を形成してある。又、ケーシング２１内には、シロッコファン等の多翼送風ファン（図示を省略する）を配設してある。
そして、多翼送風ファンを回転させることによって、吸気口２３から空気を吸入し、送風口２２から空気を吐出するようになっている。これによって、周囲の空気が攪拌されて設置個所近傍の換気が行われる。
【００１４】
吊下支持部３は、平板を略Ｌ字型に折曲した移動板３１と、保持体３２とから成り、移動板３１には長溝部３１ａを、保持体３２の立設板部３３には螺子孔３３ａを穿設してある。
そして、ボルトを長溝部３１ａに挿通させ、螺子孔３３ａに螺合させ、ボルトを緩めておけば、移動板３１は立設板部３３に沿って上下移動でき、ボルトを締め付ければ、移動板３１は立設板部３３に固定されるようになっている。
【００１５】
載置支持部４は、４本の支持脚４１と蝶螺子４２とから成り、ケーシング２１の側面部であって各送風口２２の中間に、スライド可能に設置されている。
そして、蝶螺子４２を緩めておけば、支持脚４１は上下移動でき、蝶螺子４２を締め付ければ、支持脚４１は固定されるようになっている。
【００１６】
回転機構部５は、ケーシング２１の上面に固定された嵌合溝形成板２４と、保持体３２の保持板部３４とから構成される。
嵌合溝形成板２４には周方向に所定間隔で嵌合溝２４ａ，２４ａ，・・・を形成してあり、保持板部３４の両側部には弾力付勢した突起部３４ａ，３４ａを形成してあり、嵌合溝２４ａ，２４ａ，・・・に突起部３４ａ，３４ａを嵌合自在としてある。
【００１７】
本発明の換気装置１によれば、吊下支持部３の移動板３１を保持体３２の立設板部３３に沿って上下移動させれば、移動板３１を適宜上方に突出させることができ、移動板３１を根太、大引等の適宜個所に固定すれば、換気装置１の本体部２を適宜高さ方向位置に吊下、設定することができる。
【００１８】
又、載置支持部４の４本の支持脚４１を上下移動させれば、支持脚４１を適宜下方に突出させることができ、４本の支持脚４１を床下の地面の適宜個所に載置すれば、換気装置１の本体部２を適宜高さ方向位置に載置、設定することができる。
【００１９】
さらに、回転機構部５において、保持体３２の保持板部３４を回転させ、突起部３４ａ，３４ａを嵌合溝形成板２４との適宜嵌合溝２４ａ，２４ａに嵌合させれば、送風口２２の位置を適宜変更することができ、空気の周囲への流出方向を変更することができ、効率的な換気が行うことができる。
【００２０】
又、本発明の換気装置１では、移動板３１及び保持体３２を本体部２に装着自在としてあるから、換気装置１を吊下、設定する場合には、移動板３１及び保持体３２を本体部２に装着し、換気装置１を載置、設定する場合には、移動板３１及び保持体３２を本体部２から離脱すればよく、床下、天井裏等の形状又は構造によって、適宜状態で換気装置１を設置できる。
【図面の簡単な説明】
【００２１】
【図１】本発明の換気装置を上方から視た外観斜視図である。
【図２】本発明の換気装置を下方から視た外観斜視図である。  図１に記載した換気装置の設置状態を示す説明図である。
【図３】本発明の換気装置の正面図である。
【図４】従来の換気装置を根太に吊下、設置した状態を示す一部切断正面図である。
【図５】従来の換気装置において、空気の吐出方向を説明する横断面図である。
【符号の説明】
【００２２】
１  換気装置
２  本体部
２２  送風口
３  吊下部
３１  鈎部
３２  旋回部
４  脚部
５  オゾン発生部
【図１】
2005221130.tif 000003
【図２】
2005221130.tif 000004
【図３】
2005221130.tif 000005
【図４】
2005221130.tif 000006
【図５】
2005221130.tif 000007